(57)【要約】      （修正有）【課題】矩形波が所定の時間単位毎に変動し、かつ順次減衰するような電圧を出力し、静電破壊試験及び誤動作誘導試験に適用できる減衰矩形波電圧発生回路を提供する。【解決手段】一方側端に放電用スイッチ４を有し、所定の電源電圧５によって充電及び放電が可能である同軸ケーブル１、他方側端において、外側ラインと内側ラインとが短絡状態あるいは開放状態及び所定の抵抗値のインピーダンスを接続する状態の何れかを選択し得る同軸ケーブル２、他方側端において、自らの特性インピーダンスに整合する抵抗値を介して接地する同軸ケーブル３を備え、同軸ケーブル１、２の電圧波の導通時間を同一に設定し、同軸ケーブル１と接続したスイッチ４及び同軸ケーブル２及び同軸ケーブル３の一方側端を相互に接続し、当該接続部位６において所定の周期の下に変化しながら順次減衰する矩形波電圧を発生する。【選択図】図２
2010019654.tif 000002
【特許請求の範囲】
【請求項１】
一方側端に放電用スイッチを有しており、所定の電源電圧によって充電及び放電が可能である同軸ケーブル１、他方側端において、外側ラインと内側ラインとが短絡状態、開放状態及び所定の抵抗値を有しているインピーダンスを接続する状態の何れかを選択し得る同軸ケーブル２、他方側端において、自ら有している特性インピーダンスと同一の抵抗値を有しているインピーダンスを介して接地することによって、インピーダンスの整合状態を実現している同軸ケーブル３を備え、同軸ケーブル１及び同軸ケーブル２の電圧波の通電時間を同一に設定し、同軸ケーブル１と接続したスイッチ及び同軸ケーブル２及び同３の一方側端を相互に接続し、当該接続部位において所定の周期の下に変化しながら順次減衰する矩形波電圧を発生することができる減衰矩形波電圧発生回路。
【請求項２】
同軸ケーブル２の他方端が開放されており、接続部位における矩形波電圧が段階的に順次減衰することを特徴とする請求項１記載の減衰矩形波電圧発生回路。
【請求項３】
同軸ケーブル２の他方端が短絡されており、接続部位における矩形波電圧が正電圧側及び負電圧側の双方に振幅状態を呈しながら順次減衰することを特徴とする請求項１記載の減衰矩形波電圧発生回路。
【請求項４】
同軸ケーブル２の他方端側に同軸ケーブル２の特性インピーダンスと同一の抵抗値を有しているインピーダンスを介して接地することによって、同軸ケーブル２及び同３からの反射波を伴わずに、請求項２の段階的減衰、及び請求項３の交互振幅状態による減衰の中間的状態を確保し得ることを特徴とする請求項１記載の減衰矩形波電圧発生回路。
【請求項５】
接続部位における矩形波電圧を、オシロスコープによって波形を表示させることを特徴とする請求項１、２、３、４の何れか一項に記載の減衰矩形波電圧発生回路。
【発明の詳細な説明】
【技術分野】
【０００１】
本発明は、同軸ケーブルを用いることによって順次減衰する矩形波電圧を発生し得る回路に関するものである。
【背景技術】
【０００２】
出願人らは、静電気放電保護回路などの技術分野において、静電破壊又は誤動作誘導を行うために必要な電圧を発生する回路を作成し、これまで特許出願を行ったことがあるが、その際の基本的な波形は、後記の特許文献１、２に示すように、その殆どが略矩形（正確には、略台形に多少変形しているが）の伝達ラインパルス電圧（Transmission Line Pulse 電圧、通常名：ＴＬＰ電圧）であって、ＴＬＰ電圧の程度を調整することによって、静電破壊、更には誤動作への誘導を行っていた。
【０００３】
しかしながら、一度立ち上がった状態にある矩形波（尚、実際の波形状況に即するならば、「矩形波」とは、前記ＴＬＰ電圧の場合と同様に「略矩形波」の趣旨であり、以下の本願発明における「矩形波電圧」の「矩形波」も同様の趣旨である。）電圧に対し、元の電圧位置に下降するのではなく、図４（ａ）に示すように、中途段階への下降、又は、図４（ｂ）に示すように、更なる下降が行われた場合には、当初の立ち上がり電圧に比し、下降電圧との落差によって所定の程度に応じた静電気放電又は誤動作への誘導を実現することが可能である。
【０００４】
図４（ａ）、（ｂ）に示すような矩形波を組み合わせたことによる波形は、一見コンピュータからの出力の組み合わせによって実現できるかの如くにも考えられるが、静電破壊又は誤動作誘導回路の場合には、ナノ秒単位〜数十ナノ秒単位における電圧変化を必要としており、コンピュータからの出力パルスによって、このような単位時間の場合には、図４（ａ）、（ｂ）に示すような電圧の上昇及び下降を、コンピュータによって実現することは不可能である。
【０００５】
実際の静電気破壊試験、更には誤動作誘導を行う場合には、図４（ａ）、（ｂ）に示すような当初の電圧変化のみが肝要であって、その後の電圧は順次減衰することが好ましい。
【０００６】
しかるに、従来技術においては、適宜矩形波の電圧を組み合わせながら順次減衰するような電気回路は、これまで提唱されている訳ではない。
【０００７】
【特許文献１】特開２００６−３８５４２号公報
【特許文献２】特開２００６−７８２６８号公報
【発明の開示】
【発明が解決しようとする課題】
【０００８】
本発明は、矩形波が所定の時間単位毎に変動し、かつ順次減衰するような電圧出力を実現し、しかも様々な程度による入力電圧を必要とする静電破壊試験及び誤動作誘導試験に適応し得るような減衰矩形波電圧発生回路の構成を提供することを課題としている。
【課題を解決するための手段】
【０００９】
前記課題を解決するため、本発明の基本構成は、一方側端に放電用スイッチを有しており、所定の電源電圧によって充電及び放電が可能である同軸ケーブル１、他方側端において、外側ラインと内側ラインとが短絡状態、開放状態及び所定の抵抗値を有しているインピーダンスを接続する状態の何れかを選択し得る同軸ケーブル２、他方側端において、自ら有している特性インピーダンスと同一の抵抗値を有しているインピーダンスを介して接地することによって、インピーダンスの整合状態を実現している同軸ケーブル３を備え、同軸ケーブル１及び同軸ケーブル２の電圧波の通電時間を同一に設定し、同軸ケーブル１と接続したスイッチ及び同軸ケーブル２及び同３の一方側端を相互に接続し、当該接続部位において所定の周期の下に変化しながら順次減衰する矩形波電圧を発生することができる減衰矩形波電圧発生回路からなる。
【発明の効果】
【００１０】
前記基本構成からなる本発明においては、矩形波が色々な時間単位を周期として変化しながら順次減衰するような状態の波形を実現することが可能であり、しかも時間単位として数ナノ秒〜数十ナノ秒の場合も対応できるので、静電破壊試験又は誤動作誘導試験において、適切な電圧を印加し、これらの試験を効率的に実現することが可能となる。
【発明を実施するための最良の形態】
【００１１】
本願においては、３個の同軸ケーブルを採用しているが、通常の同軸ケーブルの使用状態と同様に、同軸ケーブルの外側ラインは接地されている。
【００１２】
これらの同軸ケーブルのうち同軸ケーブル１は、放電の際起電力を得るために同軸ケーブルの内側ラインと外側ラインとは、予め所定の電源電圧５によって充電が行われている（尚、各充電の状態については、図１（ａ）、図２（ａ）、図３（ａ）に示すとおりである。）。
【００１３】
同軸ケーブル２の他方端側は、内側ラインと外側ラインとが短絡状態、開放状態、及び抵抗性インピーダンスによる接続状態を選択可能であり、同軸ケーブル３においては、他方端側が特性インピーダンスと等しい抵抗値を有しているインピーダンスがアース側と接続されており、所謂インピーダンスの整合、即ちマッチングが行われている。
【００１４】
通常、同軸ケーブルは、直列状態のインダクタンスと並列状態のキャパシタンスとが分布したような分布定数回路を形成しており、抵抗を有する成分は殆ど無視し得るとされているが、本願の場合も同様である。
【００１５】
後述する各実施形態においては、矩形波が所定の時間単位毎に変化しながら順次減衰するが、３個の同軸ケーブルにおいて殆ど抵抗成分を有していないにも拘らず、電圧が順次減衰するのは、結局同軸ケーブル３において、インピーダンスマッチングのためにアースと接続されている所定の抵抗値を有しているインピーダンスによって電力が費消されることに由来している。
【００１６】
以下、各実施形態に即して説明する。
〔実施形態１〕
図１は、同軸ケーブル２の他方端側を開放した場合の実施形態を示す。
【００１７】
図１（ａ）に示すように、予め同軸ケーブル１において、電圧Ｖ０によって内側ラインと外側ラインとの間に充電を行ったうえで、図１（ｂ）のように、一方端側のスイッチ４を閉じて同軸ケーブル１から放電を行った場合、同軸ケーブル１の他方端側の電圧は当然Ｖ０である。
【００１８】
そして、３個の同軸ケーブルの一方端側が接続されている接点６（以下、単に「接点」と略称する。）の電圧Ｖ1は、同軸ケーブル１、２、３の各特定インピーダンスをそれぞれＺ1、Ｚ2、Ｚ3とした場合には、同軸ケーブル２及び同３とがアースに対して並列に接続されていることから、
【００１９】
【数１】
2010019654.tif 000003
を得ることができる。
【００２０】
尚、同軸ケーブル１において、長さをｄ１とし、伝搬定数をγ1とし、一方端側の電圧をＶ1（＝Ｖ0）とした場合には、入力側である他方端側の電流Ｉ1は、
【００２１】
【数２】
2010019654.tif 000004
が成立する。
【００２２】
通常、γ1ｄ1は、極めて大きな値であることから、
【数３】
2010019654.tif 000005
であって、同軸ケーブル１の他方端側からのインピーダンスは、特性インピーダンスＺ1と殆ど等しいことになる。
【００２３】
同様に、同軸ケーブル２において、長さをｄ2とし、伝搬定数をγ2とし、一方端側の電圧をＶ2（＝Ｐ1）とし、しかも他方端側の負荷インピーダンスをＺB2とした場合には、入力側である一方端側の電流Ｉ2は、
【００２４】
【数４】
2010019654.tif 000006
が成立するが、他方端側が開放されていることから、ＺB2＝∞であって、
【００２５】
【数５】
2010019654.tif 000007
が成立する。
【００２６】
一般には、γ2ｄ2が極めて大きな値であることから、cothγ2ｄ2≒１であって、結局、Ｖ2／Ｉ2≒Ｚ2が成立し、同軸ケーブル２の一方端側からの同軸ケーブル２の全体のインピーダンスについては、特性インピーダンスＺ2と殆ど等しいことになる。
【００２７】
同軸ケーブル３において、長さをｄ3とし、かつ伝搬定数をγ3とし、一方端側の電圧をＶ3（＝Ｐ1）とした場合、入力側である一方端の電流Ｉ3は、所謂分布定数回路の計算によって、
【００２８】
【数６】
2010019654.tif 000008
が成立する。
【００２９】
結局、Ｖ3／Ｉ3＝Ｚ3であって、同軸ケーブル３の一方端側からのインピーダンスは、特性インピーダンスＺ3と等しいことになる。
【００３０】
このように、同軸ケーブル１の他方端側から一方端側に対するインピーダンス、同軸ケーブル２及び同３の一方端側から他方端側へのインピーダンスは、何れも特性インピーダンスＺ1、Ｚ2、Ｚ3にそれぞれ等しいか、又は殆ど等しいことから、通常の集中回路と同じように、前記第１段階の電圧Ｐ1を得ることができる。
【００３１】
このように接点６において、第１段階の電圧Ｐ1に至った後、同軸ケーブル１においては、一方端側において反射が生じ、当該反射による電圧波は、他方端側から更に反射されて、一方端側に戻ることになる。
【００３２】
同様に、前記第１段階の電圧Ｐ1によって、同軸ケーブル２においては、一方端側から電圧波が伝搬した後、他方端側からの反射によって電圧波が戻ることになる。
【００３３】
これに対し、同軸ケーブル３においては、インピーダンスマッチングの設定が行われるため、前記のような反射による電圧波は生じていない。
【００３４】
前記基本構成記載のように、同軸ケーブル１及び同２は、電圧波の通電時間が同一となるように設定されている。
【００３５】
即ち、同軸ケーブル１及び同２の伝搬速度をｗ1及びｗ2とし、各単位長さ当りのインダクタンス及びキャパシタンスをそれぞれＬ1、Ｃ1、及びＬ2、Ｃ2とした場合、所定の電圧に対し電流が同軸ケーブル１及び同２を移動する時間であるｄ1／ｗ1、ｄ2／ｗ2は等しく設定されており、電圧波が同軸ケーブル１及び同２を一方端側の他方端側に移動する時間（片道だけ移動する時間）をＴとした場合、
【００３６】
【数７】
2010019654.tif 000009
が成立すると共に、
【００３７】
【数８】
2010019654.tif 000010
であるから、結局、
【００３８】
【数９】
2010019654.tif 000011
が成立している。
【００３９】
同軸ケーブル１からの放電によって接点６の電圧がＰ1である第１段階において、接点６において同軸ケーブル１の一方端側から同軸ケーブル２及び同３の一方端側への入射波となる電圧の大きさをｖとし、当該ｖに対応して同軸ケーブル２及び同３内を通電する電流をＩ’とし、同軸ケーブル２及び３の一方端側から同軸ケーブル１の一方端側及び他方端側に反射する電圧波の大きさをＰｒとし、当該Ｐｒに対応して同軸ケーブル２及び同３から同軸ケーブル１側に通電する電流をＩ”とした場合には、
Ｉ’＝ｖ／Ｚ1，Ｉ”＝−Ｐｒ／Ｚ1が成立する。
【００４０】
他方、接点６において、同軸ケーブル２及び同３の並列回路による特性インピーダンスをＹとした場合には、
Ｙ＝Ｚ2・Ｚ3／（Ｚ2＋Ｚ3）が成立するが、接点６における電圧平衡を考慮するならば、
ｖ＋Ｐｒ＝（Ｉ’＋Ｉ”）Ｙ＝Ｐ1  ・・・（ａ）
が成立する。
【００４１】
同軸ケーブル２及び同３からなる並列回路への入射電圧波ｖと反射電圧波Ｐｒとの間では、
Ｐｒ／ｖ＝（Ｙ−Ｚ1）／（Ｙ＋Ｚ1）  ・・・（ｂ）
が成立する。
【００４２】
前記（ａ）、（ｂ）式から、ｖ＝Ｖ0／２であり、Ｐｒ＝Ｐ1−Ｖ0／２  を得ることができる。
【００４３】
即ち、接点６における電圧がＰ1となっている第１の段階において、既に同軸ケーブル１においては、図１（ｂ）に示すように、スイッチ４を閉じることによって、放電を開始してから時間Ｔを経た以後には、反射電圧波Ｐｒによって一方端側から他方端側への電圧波が生ずることに帰するが、同軸ケーブル１の他方端側は、常に開放していることから、他方端側からの反射による電圧波の大きさは、図１（ｃ）に示すように、２Ｐｒ＝２Ｐ1−Ｖ0  である。
【００４４】
同軸ケーブル２においては、一方端側から他方端側に対し、Ｐ1の電圧波が移動し、開放されている他方端側においても、２Ｐ1の矩形状反射波が形成され、接点６側に移動することになる。
【００４５】
同軸ケーブル１の他方端側において、電圧波（２Ｐ1−Ｖ0）の反射電圧波が移動し、接点６に至るのは、放電を開始してから２Ｔだけ経た時刻以降であるが、その場合には、接点６の電圧は、当初の電圧Ｖ0からＰ1を算定した場合と同様に、
（２Ｐ1−Ｖ0）・Ｚ2Ｚ3／（Ｚ1Ｚ2＋Ｚ2Ｚ3＋Ｚ3Ｚ1）  ・・・（ｃ）
である。
【００４６】
これに対し、同軸ケーブル２から２Ｐ1の反射波が接点６に移動した場合の接点６における電圧は、
【００４７】
【数１０】
2010019654.tif 000012
である。
【００４８】
所謂重畳の理に基づいて同軸ケーブル１及び同２から、１回目の反射波が到来した２Ｔ以降の第２段階の接点６における電圧をＰ2とした場合、
Ｐ2＝（２Ｐ1−Ｖ0）・Ｚ2Ｚ3／（Ｚ1Ｚ2＋Ｚ2Ｚ3＋Ｚ3Ｚ1）
＋２Ｐ1Ｚ3Ｚ1／（Ｚ1Ｚ2＋Ｚ2Ｚ3＋Ｚ3Ｚ1）  ・・・（ｄ）
が成立する。
【００４９】
同様に、２回目の反射波が到来する第３段階の接点６における電圧をＰ3とした場合には、全く同様の計算に基づいて、
Ｐ3＝（２Ｐ2−Ｐ1）・Ｚ2Ｚ3／（Ｚ1Ｚ2＋Ｚ2Ｚ3＋Ｚ3Ｚ1）
＋２Ｐ2Ｚ3Ｚ1／（Ｚ1Ｚ2＋Ｚ2Ｚ3＋Ｚ3Ｚ1）
が成立する。
【００５０】
第４段階の接点６の電圧Ｐ4及び第５段階の接点６の電圧Ｐ5についても、全く同じように算定することができる。
【００５１】
前記のようなＰ1、Ｐ2、Ｐ3の変化の状態は、図１（ｄ）に示すように、階段状に順次減衰する矩形波の電圧を得ることができる。
〔実施形態２〕
図２は、同軸ケーブル２の他方端側の内側ラインと外側ラインとが短絡した場合の実施形態を示す。
【００５２】
図２（ａ）に示すような充電に基づいて、同軸ケーブル１が図２（ｂ）に示すように、放電を行う第１段階において接点６の電圧がＰ1であることは、実施形態１の場合と変わりはない。
【００５３】
放電を開始してから時間Ｔを経た以後の第１回目の反射波が生ずる第１段階において、同軸ケーブル１において生ずる反射波が２Ｐ1−Ｖ0であり、かつ当該反射波に基づいて、接点６において、同軸ケーブル１に基づく電圧が、放電を開始してから時間２Ｔを経た以後において前記（ｃ）式によって表現されることは、実施形態１の場合と変わりはない。
【００５４】
短絡されている同軸ケーブル２の他方端側においては、放電が開始してから時間Ｔを経た以後、図２（ｃ）に示すように、当該他方端においては、２Ｐ1／Ｚ2の電流が外側ラインを通じて逆流することになる。
【００５５】
前記逆流の結果、放電開始から時刻２Ｔを経た以後の第２段階においては、同軸ケーブル２の一方端側の電圧降下は、必然的にＺ2×（２Ｐ1／Ｚ2）＝２Ｐ1であり、他方端側から一方端側に対し、−２Ｐ1の電圧波が移動することになる。
【００５６】
ところが、同軸ケーブル２の一方端側には、既に＋Ｐ1の電圧が生じていることから、前記のような２Ｐ1／Ｚ2の逆流電流が同軸ケーブル２の一方端側に逆流してきた第２段階では、同軸ケーブル２の一方端側は、
−２Ｐ1＋Ｐ1＝−Ｐ1  の電圧に変化することになる。
【００５７】
ここで、−２Ｐ1／Ｚ2  の電流が外側ラインを介して逆流してきた段階における同軸ケーブル２内の反射電圧を、Ｐ’ｒとし、接点６における同軸ケーブル１及び同３による並列回路の特性インピーダンスをＹ’とした場合には、Ｙ’＝Ｚ1・Ｚ3／（Ｙ1＋Ｙ3）であり、
かつＰ’ｒ＝（Ｙ’−Ｚ2）（−Ｐ1）／（Ｚ2＋Ｙ’）
が成立する。
【００５８】
したがって、前記反射波Ｐ’rが生じた段階における接点６において、同軸ケーブル２に基づく電圧をｖとした場合には、
ｖ＝Ｐ’ｒ＋（−Ｐ1）＝（−２Ｐ1Ｙ’）／（Ｚ2＋Ｙ’）  
＝−２Ｐ1Ｚ3Ｚ1／（Ｚ1Ｚ2＋Ｚ2Ｚ3＋Ｚ3Ｚ1）  ・・・（ｅ）
が成立する。
【００５９】
所謂重畳の理に基づいて、同軸ケーブル１及び同２から、第１回目の反射波が接点６において放電を開始してから時間２Ｔだけ経た以後における第２段階の接点６における電圧をＰ2とした場合には、
Ｐ2＝（２Ｐ1−Ｖ0）・Ｚ2Ｚ3／（Ｚ1Ｚ2＋Ｚ2Ｚ3＋Ｚ3Ｚ1）
−２Ｐ1Ｚ3Ｚ1／（Ｚ1Ｚ2＋Ｚ2Ｚ3＋Ｚ3Ｚ1）
が成立する。
【００６０】
同様に、同軸ケーブル１及び同２に第２回目の反射波が到来する第３段階の接点６における電圧Ｐ3は、
Ｐ3＝（２Ｐ2−Ｐ1）・Ｚ2Ｚ3／（Ｚ1Ｚ2＋Ｚ2Ｚ3＋Ｚ3Ｚ1）
−２Ｐ2Ｚ3Ｚ1／（Ｚ1Ｚ2＋Ｚ2Ｚ3＋Ｚ3Ｚ1）
が成立する。
【００６１】
第４段階の接点６の電圧Ｐ4及び第５段階の接点６の電圧Ｐ5についても、全く同じように算定することができる。
【００６２】
前記のようなＰ1、Ｐ2、Ｐ3の変化の状態は、Ｐ2、Ｐ3の第２項が負（−）の値となっているため、前記（ｄ）式のように段階的に順次減衰する訳ではない。
【００６３】
即ち、図２（ｄ）に示すように、矩形波が上下方向に交互に振幅状態を呈しながら順次減衰し、特に特性インピーダンスＺ1、Ｚ2、Ｚ3の大小関係を選択することによって、正の値と負の値とを取りながら減衰する矩形波の電圧を得ることができる。
〔実施形態３〕
図３は、同軸ケーブル２の他方端側に所定の抵抗値を有しているインピーダンスを接続し、実施形態１のように順次段階的に減衰する状態、及び実施形態２のような上下に振動しながら減衰する状態の中間的状態を確保し得る実施形態を示す。
【００６４】
図３（ａ）に示すような充電に基づいて、同軸ケーブル１が図３（ｂ）に示すように、放電を行う第１段階において接点６の電圧がＰ1であることは、実施形態１の場合と変わりはない。
【００６５】
図３（ａ）、（ｂ）に示すように、同軸ケーブル２の他方端側において、所定の抵抗値を有するインピーダンスを接続していることによって、図３（ｃ）に示すように、実施形態１のような開放状態による図１（ｄ）の波形状態と実施形態２のような短絡状態による図２（ｄ）の波形状態との中間状態、を実現することができる。
【００６６】
特に前記抵抗値が同軸ケーブル２の特性インピーダンスと等しい場合には、所謂インピーダンスマッチングによって同軸ケーブル２及び同３の双方からの反射波が到来しないことから、放電開始後に時間３Ｔを経た第２段階の接点６における電圧は、実施形態１及び実施形態２のような同軸ケーブル２からの反射による電圧波を算出する必要がないことに基づき、
【００６７】
【数１１】
2010019654.tif 000013
を得ることができ、同様に、第２回目の反射波が到来する第３段階の接点６における電圧Ｐ3は、
【００６８】
【数１２】
2010019654.tif 000014
を得ることができるが、Ｐ1、Ｐ2、Ｐ3が図１（ｄ）のように段階的に減少するか、又は図２（ｄ）のように、正の値と負の値との双方に振幅状態を呈するかは、特性インピーダンスＺ1、Ｚ2、Ｚ3の数値によって左右されることになる。
【実施例】
【００６９】
実施例においては、減衰する矩形波電圧発生部位において、オシロスコープによって波形を表示させることを特徴としている。
【００７０】
このように、接点６における電圧をオシロスコープによって表示している場合には、各同軸ケーブルが正常に作動しているか否かの点、特に同軸ケーブル１の充電状態が正常であるか否かの点、同軸ケーブル２の他方端側の開放状態、短絡状態、更には接続した特性インピーダンスの状態が正常であるか否かの点、及び同軸ケーブル３の他方端側において、インピーダンスマッチングが正常に行われているか否かの点を順次チェックすることが可能となる。
【産業上の利用可能性】
【００７１】
本発明は、極めて短時間に矩形波電圧が変化し、かつ減衰するような電圧波形を使用する技術分野において須く利用することが可能であり、特に静電破壊試験、及び誤動作誘導試験において有効に利用することができる。
【図面の簡単な説明】
【００７２】
【図１】第１の実施形態を説明しており、（ａ）は接点におけるスイッチをＯＦＦの状態としたうえで、同軸ケーブル１に充電を行った状態を示しており、（ｂ）は接点におけるスイッチをＯＮの状態としたうえで、同軸ケーブル１を放電状態とした以後の段階を示しており（同軸ケーブル２の上側の矢印は、一方端側から他方端側に電圧波が移動する状況を示しており、下側の矢印は、他方端側から一方端側に反射した電圧波が移動する状況を示しており、同軸ケーブル３の矢印は、一方端側から他方端側に電圧波が移動する状況を示す。）、（ｃ）は同軸ケーブル１の他方端側の電圧の変化状態を示しており、（ｄ）は第１段階から第３段階に至るまでの接点における電圧の変化状態を示す。
【図２】第２の実施形態を説明しており、（ａ）は接点におけるスイッチをＯＦＦの状態としたうえで、同軸ケーブル１に充電を行った状態を示しており、（ｂ）は接点におけるスイッチをＯＮの状態としたうえで、同軸ケーブル１を放電状態とした以後の段階を示しており（同軸ケーブル２の上側の矢印は、一方端側から他方端側に電圧波が移動する状況を示しており、下側の矢印は、他方端側から一方端側に反射した電圧波が移動する状況を示しており、同軸ケーブル３の矢印は、一方端側から他方端側に電圧波が移動する状況を示す。）、（ｃ）は同軸ケーブル２の他方端側の電流の変化状態を示しており、（ｄ）は第１段階から第３段階に至るまでの接点における電圧の変化状態を示す。
【図３】第３の実施形態を説明しており、（ａ）は接点におけるスイッチをＯＦＦの状態としたうえで、同軸ケーブル１に充電を行った状態を示しており、（ｂ）は接点におけるスイッチをＯＮの状態としたうえで、同軸ケーブル１を放電状態とした以後の段階を示しており（同軸ケーブル２の上側の矢印は、一方端側から他方端側に電圧波が移動する状況を示しており、下側の矢印は、他方端側から一方端側に反射した電圧波が移動する状況を示しており、同軸ケーブル３の矢印は、一方端側から他方端側に電圧波が移動する状況を示す。）、（ｃ）は第１段階から第３段階に至るまでの接点における電圧の変化状態を示す。
【図４】静電破壊試験又は誤動作誘導試験において、入力電圧の程度を調整し得る電圧波形を示しており、（ａ）は立ち上がった電圧が中途段階への下降を示す状態を示しており、（ｂ）は立ち上がった電圧が元の立ち上がり電圧よりも更に下降する場合を示す。
【符号の説明】
【００７３】
１  同軸ケーブル１
２  同軸ケーブル２
３  同軸ケーブル３
４  スイッチ
５  充電を行う際の電源電圧
６  接点
【図１】
2010019654.tif 000015
【図２】
2010019654.tif 000016
【図３】
2010019654.tif 000017
【図４】
2010019654.tif 000018